(57)【要約】    【課題】      新規購入時に記録した顔写真、氏名、生年月日、住所などの個人情報を、パスワード保護のもとにユーザーが適宜表示できるようにすること。    【解決手段】  新規購入時に設定されるユーザーのパスワードで保護された個人情報が記録された不揮発情報記憶手段１０１、前記個人情報を表示する表示手段１０４、前記パスワードを用いて不揮発情報記憶手段１０１から読み出した前記個人情報を表示手段１０４の表示部に表示するように制御する表示制御手段１０３、を備える。携帯電話の新規購入時の厳しい個人審査を受けた個人情報を不揮発情報記憶手段１０１に記録する。前記個人情報は、ユーザーが自由に変更できない仕組みとし、かつパスワード保護のもとにユーザーが適宜表示できるようにしてユーザーの認証情報として使用することができる。  【選択図】      図１
2006054553.tif 000002
【特許請求の範囲】
【請求項１】
新規購入時に設定されるユーザーのパスワードで保護された個人情報が記録された記憶手段と、
前記個人情報を表示する表示手段と、
前記パスワードを用いて前記記憶手段から前記個人情報を読み出し、前記記憶手段から読み出した前記個人情報を前記表示手段により表示するように制御する表示制御手段と、を具備することを特徴とする携帯電話装置。
【請求項２】
新規購入時に設定されるユーザーのパスワードで保護された個人情報が記録された記憶手段と、
前記個人情報を表示する表示手段と、
前記個人情報を送信する送信手段と、
前記パスワードを用いて前記記憶手段から前記個人情報を読み出し、前記記憶手段から読み出した前記個人情報を前記表示手段により表示するとともに前記送信手段により送信する表示／送信制御手段と、を具備していることを特徴とする携帯電話装置。
【請求項３】
受信相手から入力を求められた複数の個人情報の入力操作を行う個人情報入力手段と、前記複数の個人情報の中から前記個人情報入力手段により入力する個人情報を選択する選択手段と、を具備していることを特徴とする請求項２記載の携帯電話装置。
【請求項４】
前記記憶手段は、不揮発性メモリからなることを特徴とする請求項１から請求項３のいずれかに記載の携帯電話装置。
【発明の詳細な説明】
【技術分野】
【０００１】
本発明は、無線通信システムの移動局である携帯電話装置に関する。
【背景技術】
【０００２】
不在配達郵便物の郵便局窓口での受け取り時やレンタルビデオ店での新規契約時などには、例えば免許証など本人であることを証明するものの提示が必要となっている。また、酒やタバコなど年齢制限のある商品を購入する場合にも、免許証など購入資格年齢に達していることを証明するものの提示が必要となっている。
【０００３】
従来、後者の場合の証明方法として、購入資格年齢に達した者に発行されるクレジットカード、あるいはそれに準ずる認証カードが、自動販売機に挿入されたことをもって年齢審査を行う方法が提案されている（例えば、特許文献１参照）。
【０００４】
また、他の証明方法として、年齢などを含む個人情報が記録されたＩＣカードを、自動販売機、ウェブサーバ、入場ゲートなどに読み取らせることにより、年齢や利用制限条件等の審査を行う方法が提案されている（例えば、特許文献２参照）。
【特許文献１】特開２００２−９２７０２号公報
【特許文献２】特開２００２−１０９４４０号公報
【発明の開示】
【発明が解決しようとする課題】
【０００５】
しかしながら、前記従来の証明方法では、そのクレジットカードまたはＩＣカードが利用者本人の所有物か判断できないという問題がある。また年齢などを含む個人情報を、自動販売機、ウェブサーバ、入場ゲートなどに読み取らせることは、個人情報の流出につながり、セキュリティ上危険であるという問題がある。
【０００６】
また、本人確認や年齢確認は、不在配達郵便物の郵便局窓口での受け取りや、レンタルビデオ店での新規契約時や、対人販売における酒やタバコなど年齢制限のある商品の購入時などで、本人や年齢を証明するものの提示を対人で行う場合が多く、自動販売機、ウェブサーバ、入場ゲートなどの対機器に読み取らせることは必ずしも必要ではない。
【０００７】
このような場合、本人あるいは年齢を証明するものとして、一般に、公的機関から発行された免許証やパスポートなどが用いられることが多い。しかし、このような免許証は、すべての人が持っていたり、あるいは常に携帯したりしているわけではない。
【０００８】
本発明は、かかる点に鑑みてなされたもので、新規購入時に記録した顔写真、氏名、生年月日、住所などの個人情報を、パスワード保護のもとにユーザーが適宜表示できる携帯電話装置を提供することを目的とする。
【課題を解決するための手段】
【０００９】
かかる課題を解決するため、本発明の携帯電話装置は、新規購入時に設定されるユーザーのパスワードで保護された個人情報が記録された記憶手段と、前記個人情報を表示する表示手段と、前記パスワードを用いて前記記憶手段から前記個人情報を読み出し、前記記憶手段から読み出した前記個人情報を前記表示手段により表示するように制御する表示制御手段と、を具備する構成を採る。
【発明の効果】
【００１０】
本発明によれば、不在配達郵便物の郵便局窓口での受け取り時、レンタルビデオ店での新規契約時、及び対人販売における酒やタバコなど年齢制限のある商品の購入時などに、本人や年齢を証明する手段として利用することができる。
【発明を実施するための最良の形態】
【００１１】
以下、本発明の実施の形態について、図面を参照して詳細に説明する。なお、各図において同一の構成または機能を有する構成要素及び相当部分には、同一の符号を付してその説明は繰り返さない。
【００１２】
（実施の形態１）
図１は、本発明の実施の形態１に係る携帯電話装置のブロック図である。図１に示すように、本実施の形態１に係る携帯電話装置１００は、不揮発情報記憶手段１０１、パスワード入力手段１０２、表示制御手段１０３、表示手段１０４、を備えている。
【００１３】
図１において、不揮発情報記憶手段１０１は、不揮発性メモリで構成されており、記録された情報を永久的に記憶するようになっている。この不揮発情報記憶手段１０１には、ユーザーの電話番号などと同様に、携帯電話装置１００の新規購入時に、ユーザーの顔写真、氏名、生年月日、住所などの個人情報が記録される。
【００１４】
この不揮発情報記憶手段１０１に記録された個人情報は、一旦記録された後は、所定の手続きをしなければユーザー本人であっても勝手に変更できない仕組みとなっている。また、前記個人情報は、パスワード入力手段１０２により所定のパスワードが入力されないと、不揮発情報記憶手段１０１から読み出すことができないように、前記パスワードによって保護されている。さらに、携帯電話装置１００は、周知のように、その新規購入時に厳しい本人審査が行われるので、その不揮発情報記憶手段１０１にユーザー以外の個人情報が誤って記録されることはない。
【００１５】
このようなことから、この不揮発情報記憶手段１０１に記録された個人情報は、携帯電話装置１００のユーザーの本人確認や年齢確認をする際の認証情報として極めて信憑性が高い情報とすることができる。
【００１６】
パスワード入力手段１０２は、前記パスワードを入力するための手段であって、例えば、携帯電話装置１００に設けられたテンキー（不図示）などで構成される。このパスワード入力手段１０２により入力されたパスワードは、表示制御手段１０３に与えられる。このパスワードは、例えば、携帯電話装置１００の発信者番号通知などで使用されている既存のパスワードと共通であってもよい。
【００１７】
表示制御手段１０３は、パスワード入力手段１０２から入力されたパスワードの正誤判定をし、前記パスワードが正しいと判定した場合に不揮発情報記憶手段１０１に記録されている個人情報の保護を解除することができる。
【００１８】
また、表示制御手段１０３は、携帯電話装置１００に設けられている操作キー（不図示）を所定の手順に従って操作することにより、前記個人情報を不揮発情報記憶手段１０１から読み出して表示手段１０４の表示部（不図示）に表示するように携帯電話装置１００を動作させるＣＰＵ（不図示）を備えている。この携帯電話装置１００の動作プログラムは、ＲＯＭなどからなる記憶手段（不図示）に予め記憶されている。この記憶手段と不揮発情報記憶手段１０１とは兼用することができる。
【００１９】
表示手段１０４は、表示制御手段１０３により読み出された個人情報を表示するための手段であって、例えば、液晶表示パネルなどからなる表示部を備えている。
【００２０】
次に、本実施の形態１に係る携帯電話装置の動作について説明する。まず、携帯電話装置１００の初期設定メニュー開始動作について説明する。図２は、本実施の形態１に係る携帯電話装置の初期設定メニュー開始動作を示すフローチャートである。
【００２１】
図２において、携帯電話装置１００の初期設定メニュー開始動作がスタートすると、まず、表示手段１０４の表示部にパスワード入力画面が表示される（ステップＳＴ２０１）。図３は、このステップＳＴ２０１において表示手段１０４の表示部に表示されるパスワード入力画面を示している。
【００２２】
これを受けて、ユーザーは、ステップＳＴ２０１において表示されたパスワード入力画面の指示に従って、パスワード入力手段１０２により前述した所定のパスワードを入力する（ステップＳＴ２０２）。図４は、ステップＳＴ２０１において表示されたパスワード入力画面にユーザーがパスワードを入力した状態の画面を示している。
【００２３】
次いで、ステップＳＴ２０２でユーザーが入力したパスワードがＯＫ（正しいパスワード）であるか否か判定される（ステップＳＴ２０３）。
【００２４】
このステップＳＴ２０３での判定の結果、入力されたパスワードがＮＧ（間違ったパスワード）である場合（ステップＳＴ２０３で「ＮＯ」の場合）には、ステップＳＴ２０１において表示されたパスワード入力画面へのパスワードの入力が再度求められる。
【００２５】
一方、ステップＳＴ２０３での判定の結果、入力されたパスワードがＯＫである場合（ステップＳＴ２０３で「ＹＥＳ」の場合）には、表示手段１０４の表示部にパスワード保護個人情報選択画面が表示される（ステップＳＴ２０４）。図５は、このステップＳＴ２０４において表示手段１０４の表示部に表示されるパスワード保護個人情報選択画面を示している。
【００２６】
これを受けて、ユーザーは、ステップＳＴ２０４において表示されたパスワード保護個人情報選択画面の指示に従って携帯電話装置１００の選択キー（不図示）を操作して、表示された複数の個人情報のうちパスワード保護したい個人情報を選択する（ステップＳＴ２０５）。図６は、ステップＳＴ２０４において表示されたパスワード保護個人情報選択画面の個人情報の中から、「氏名」、「生年月日」、「住所」、「サイン」の４つの個人情報に対してパスワード保護を行うようにユーザーが選択した状態の画面を示している。
【００２７】
このステップＳＴ２０５においてユーザーが選択してパスワード保護した個人情報は、例えば、携帯電話装置１００を紛失した場合でも、他人が勝手に見ることができない。
【００２８】
また、ステップＳＴ２０４において表示されたパスワード保護個人情報選択画面の個人情報の中の「血液型」や「ドナー登録情報」は、例えば交通事故などの緊急時に他人が見ることができるように、ユーザーがパスワード保護しないようにすることができる。こように、前記個人情報の中に「血液型」や「ドナー登録情報」を含めることによって、ユーザーの緊急時における輸血用血液を素早く準備したり、臓器ドナー登録者の拡大を図ったりすることができるという効果も生まれてくる。
【００２９】
次いで、ステップＳＴ２０６において個人情報選択ＯＫか否か、つまり、パスワード保護する個人情報はステップＳＴ２０５において選択した個人情報でよいか否かが判断される。ここで、ユーザーがパスワード保護する個人情報を確認し、決定操作を実行すると個人情報選択ＯＫ（ステップＳＴ２０６で「ＹＥＳ」）となり、戻る操作を実行すると個人情報選択ＮＧ（ステップＳＴ２０６で「ＮＯ」）となる。そして、個人情報選択ＯＫ（ステップＳＴ２０６で「ＹＥＳ」）であれば、初期設定メニューが終了する。
【００３０】
次に、携帯電話装置１００の個人情報表示メニュー開始動作について説明する。図７は、本実施の形態１に係る携帯電話装置の個人情報表示メニュー開始動作を示すフローチャートである。
【００３１】
図７において、携帯電話装置１００の個人情報表示メニュー開始動作がスタートすると、まず、表示手段１０４の表示部に個人情報選択画面が表示される（ステップＳＴ７０１）。図８は、このステップＳＴ７０１において表示手段１０４の表示部に表示される個人情報選択画面を示している。
【００３２】
これを受けて、ユーザーは、ステップＳＴ７０１において表示された個人情報選択画面の指示に従って携帯電話装置１００の選択キー（不図示）を操作して、表示されている個人情報の中から表示手段１０４の表示部に表示したい個人情報を選択する（ステップＳＴ７０２）。図９は、ステップＳＴ７０１において表示された個人情報選択画面の個人情報の中から、「顔写真」、「氏名」、「生年月日」、の３つの個人情報を表示手段１０４の表示部に表示するようにユーザーが選択した状態の画面を示している。
【００３３】
次いで、ステップＳＴ７０３において個人情報選択ＯＫか否か、つまり、表示手段１０４の表示部に表示する個人情報はステップＳＴ７０２において選択した個人情報でよいか否かが判断される。ここで、ユーザーが表示手段１０４の表示部に表示するように選択した個人情報を確認し、決定操作を実行すると個人情報選択ＯＫ（ステップＳＴ７０３で「ＹＥＳ」）となり、戻る操作を実行すると個人情報選択ＮＧ（ステップＳＴ７０３で「ＮＯ」）となる。
【００３４】
そして、個人情報選択ＯＫ（ステップＳＴ７０３で「ＹＥＳ」）であれば、ユーザーが表示手段１０４の表示部に表示するように選択した個人情報の中にパスワード保護された個人情報が含まれているかどうかを判定する（ステップＳＴ７０４）。
【００３５】
ここで、ステップＳＴ７０２で選択した個人情報の中にパスワード保護された個人情報が含まれている場合には、表示手段１０４の表示部にパスワード入力画面が表示される（ステップＳＴ７０５）。図１０は、このステップＳＴ７０５において表示手段１０４の表示部に表示されるパスワード入力画面を示している。
【００３６】
これを受けて、ユーザーは、ステップＳＴ７０５において表示されたパスワード入力画面の指示に従って、パスワード入力手段１０２により前述した所定のパスワードを入力する（ステップＳＴ７０６）。図１１は、ステップＳＴ７０５において表示されたパスワード入力画面にユーザーがパスワードを入力した状態の画面を示している。
【００３７】
次いで、ステップＳＴ７０６でユーザーが入力したパスワードがＯＫ（正しいパスワード）であるか否か判定される（ステップＳＴ７０７）。
【００３８】
このステップＳＴ７０７での判定の結果、入力されたパスワードがＮＧ（間違ったパスワード）である場合（ステップＳＴ７０７で「ＮＯ」の場合）には、ステップＳＴ７０５において表示されたパスワード入力画面へのパスワードの入力が再度求められる。
【００３９】
一方、ステップＳＴ７０７での判定の結果、入力されたパスワードがＯＫである場合（ステップＳＴ７０７で「ＹＥＳ」の場合）には、選択された個人情報が表示手段１０４の表示部に表示される（ステップＳＴ７０８）。図１２は、このステップＳＴ７０８において表示手段１０４の表示部に選択された個人情報が表示されている画面を示している。
【００４０】
一方、ステップＳＴ７０２で選択した個人情報の中にパスワード保護された個人情報が含まれていない場合は、直ちにステップＳＴ７０８に進んで、表示手段１０４の表示部に選択された個人情報が表示される。
【００４１】
このように、本実施の形態１に係る携帯電話装置１００は、その表示手段１０４の表示部にユーザーの個人情報を表示することができる。従って、この携帯電話装置１００は、例えば、不在配達郵便物の郵便局窓口での受け取り時、レンタルビデオ店での新規契約時、対人販売における酒やタバコなど年齢制限のある商品の購入時などのように本人確認や年齢確認など要求を受けた際に、ユーザーの認証情報を提示する手段として使用することができる。
【００４２】
（実施の形態２）
次に、本発明の実施の形態２に係る携帯電話装置について説明する。図１３は、本実施の形態２に係る携帯電話装置の構成を示すブロック図である。
【００４３】
図１３に示すように、本実施の形態２に係る携帯電話装置１３００は、不揮発情報記憶手段１０１、パスワード入力手段１０２、表示手段１０４、表示／送信制御手段１３０１、個人情報入力手段１３０２、選択手段１３０３、送信手段１３０４、を備えている。
【００４４】
この携帯電話装置１３００は、実施の形態１に係る携帯電話装置１００と同様に、その新規購入時にユーザーの個人情報が電話番号などとともに不揮発情報記憶手段１０１に記録される。また、この携帯電話装置１３００は、実施の形態１に係る携帯電話装置１００と同様に、初期設定メニューの開始動作によって、パスワード保護する個人情報と、パスワード保護しない個人情報とが、ユーザーにより個別に設定される。
【００４５】
図１３において、表示／送信制御手段１３０１は、パスワード入力手段１０２から入力されたパスワードの正誤判定をし、前記パスワードが正しいと判定した場合に不揮発情報記憶手段１０１に記録されている個人情報の保護を解除することができる。
【００４６】
また、表示／送信制御手段１３０１は、携帯電話装置１３００に設けられている操作キー（不図示）を所定の手順に従って操作することにより、前記個人情報を不揮発情報記憶手段１０１から読み出して送信したり表示手段１０４の表示部に表示したりするように携帯電話装置１３００を動作させるＣＰＵ（不図示）を備えている。この携帯電話装置１３００の動作プログラムは、ＲＯＭなどからなる記憶手段（不図示）に予め記憶されている。この記憶手段と不揮発情報記憶手段１０１とは兼用することができる。
【００４７】
個人情報入力手段１３０２は、携帯電話装置１３００の所有者の個人情報を入力するための手段である。選択手段１３０３は、携帯電話装置１３００のサブメニューを選択するための手段である。送信手段１３０４は、ユーザーの個人情報を送信するための手段である。
【００４８】
次に、本実施の形態２に係る携帯電話装置の動作について説明する。ここでは、インターネットショッピングなどのショッピングサイトの購入画面で、購入者の氏名および住所の入力が求められた場合に、携帯電話装置１３００によりユーザーの氏名と住所とを表示および送信する例について説明する。図１４は、本実施の形態２に係る携帯電話装置の個人情報表示／送信メニュー開始動作を示すフローチャートである。
【００４９】
図１４において、携帯電話装置１３００の個人情報表示／送信メニュー開始動作がスタートすると、まず、表示手段１０４の表示部にインターネットショッピングなどのショッピングサイトの氏名情報入力画面が表示される（ステップＳＴ１４０１）。図１５は、このステップＳＴ１４０１において表示手段１０４の表示部に表示されるショッピングサイトの氏名情報入力画面を示している。
【００５０】
これを受けて、ユーザーは、選択手段１３０３によりサブメニュー選択を行う（ステップＳＴ１４０２）。これにより、表示/送信個人情報には、表示/送信個人情報選択肢が入力され、表示手段１０４の表示部に個人情報選択画面が表示される（ステップＳＴ１４０３）。図１６は、このステップＳＴ１４０３において表示手段１０４の表示部に表示される個人情報選択画面を示している。
【００５１】
その後、ユーザーは、個人情報入力手段１３０２の操作キー（不図示）を操作して、表示手段１０４の表示部に表示された個人情報選択画面に従って、ショッピングサイトの購入画面で要求を受けた個人情報である「氏名」を選択する（ステップＳＴ１４０４）。図１７は、このステップＳＴ１４０４において表示手段１０４の表示部に表示された個人情報選択画面の個人情報の中から、ユーザーが「氏名」を選択した状態の画面を示している。
【００５２】
次いで、個人情報選択ＯＫか否か、つまりユーザーが表示/送信する個人情報である「氏名」を選択したか否かの判断を行う（ステップＳＴ１４０５）。ここで、ユーザーが個人情報の「氏名」を選択していない場合、つまりステップＳＴ１４０５で「ＮＯ」の場合には、ステップＳＴ１４０４に戻って、ユーザーが表示/送信する個人情報である「氏名」を選択するのを待つ。そして、ユーザーが個人情報の「氏名」を選択したと確認された場合、つまりステップＳＴ１４０５で「ＹＥＳ」の場合には、次にユーザーにより選択された個人情報の「氏名」がパスワード保護されているか否かを判定する（ステップＳＴ１４０６）。
【００５３】
ここで、ユーザーにより選択された個人情報の「氏名」がパスワード保護されている場合（ステップＳＴ１４０６で「ＹＥＳ」の場合）には、表示手段１０４の表示部にパスワード入力画面が表示される（ステップＳＴ１４０７）。図１８は、このステップＳＴ１４０７において表示手段１０４の表示部に表示されるパスワード入力画面を示している。
【００５４】
これを受けて、ユーザーは、ステップＳＴ１４０７において表示されたパスワード入力画面の指示に従って、パスワード入力手段１０２により所定のパスワードを入力する（ステップＳＴ１４０８）。図１９は、ステップＳＴ１４０８において表示されたパスワード入力画面に、ユーザーがパスワードを入力した状態の画面を示している。このステップＳＴ１４０８で入力するパスワードは、例えば携帯電話装置１３００の発信者番号通知などで使用されている既存のパスワードと共通でよい。
【００５５】
次いで、ステップＳＴ１４０８でユーザーが入力したパスワードがＯＫ（正しいパスワード）であるか否か判定される（ステップＳＴ１４０９）。
【００５６】
このステップＳＴ１４０９での判定の結果、入力されたパスワードがＮＧ（間違ったパスワード）である場合（ステップＳＴ１４０９で「ＮＯ」の場合）には、ステップＳＴ１４０７において表示されたパスワード入力画面へのパスワードの入力が再度求められる。
【００５７】
一方、ステップＳＴ１４０９での判定の結果、入力されたパスワードがＯＫである場合（ステップＳＴ１４０９で「ＹＥＳ」の場合）には、前記ショッピングサイトの氏名情報入力画面にユーザーにより選択された個人情報である「氏名」（ここでは松下太郎）が自動入力されたショッピングサイトの住所情報入力画面が表示手段１０４の表示部に表示される（ステップＳＴ１４１０）。図２０は、このステップＳＴ１４１０において表示手段１０４の表示部に表示されるショッピングサイトの住所情報入力画面を示している。
【００５８】
なお、ステップＳＴ１４０４で選択した個人情報である「氏名」がパスワード保護されていない場合、つまりステップＳＴ１４０６で「ＮＯ」の場合には、直ちにステップＳＴ１４１０に進んで、表示手段１０４の表示部に図２０に示すショッピングサイトの住所情報入力画面が表示される。
【００５９】
これを受けて、ユーザーは、選択手段１３０３によりサブメニュー選択を行う（ステップＳＴ１４１１）。これにより、表示/送信個人情報には、表示/送信個人情報選択肢が入力され、表示手段１０４の表示部に個人情報選択画面が表示される（ステップＳＴ１４１２）。図２１は、このステップＳＴ１４１２において表示手段１０４の表示部に表示される個人情報選択画面を示している。
【００６０】
その後、ユーザーは、個人情報入力手段１３０２の操作キー（不図示）を操作して、表示手段１０４の表示部に表示された個人情報選択画面に従って、ショッピングサイトの購入画面で要求を受けた個人情報である「住所」を選択する（ステップＳＴ１４１３）。図２２は、このステップＳＴ１４１３において表示手段１０４の表示部に表示された個人情報選択画面の個人情報の中から、ユーザーが「住所」を選択した状態の画面を示している。
【００６１】
次いで、個人情報選択ＯＫか否か、つまりユーザーが表示/送信する個人情報である「住所」を選択したか否かの判断を行う（ステップＳＴ１４１４）。ここで、ユーザーが個人情報の「住所」を選択していない場合、つまりステップＳＴ１４１４で「ＮＯ」の場合には、ステップＳＴ１４１３に戻って、ユーザーが表示/送信する個人情報である「住所」を選択するのを待つ。そして、ユーザーが個人情報の「住所」を選択したと確認された場合、つまりステップＳＴ１４１４で「ＹＥＳ」の場合には、次にユーザーにより選択された個人情報である「住所」がパスワード保護されているか否かを判定する（ステップＳＴ１４１５）。
【００６２】
ここで、ユーザーにより選択された個人情報の「住所」がパスワード保護されている場合（ステップＳＴ１４１５で「ＹＥＳ」の場合）には、表示手段１０４の表示部にパスワード入力画面が表示される（ステップＳＴ１４１６）。図２３は、このステップＳＴ１４１６において表示手段１０４の表示部に表示されるパスワード入力画面を示している。
【００６３】
これを受けて、ユーザーは、ステップＳＴ１４１６において表示されたパスワード入力画面の指示に従って、パスワード入力手段１０２により所定のパスワードを入力する（ステップＳＴ１４１７）。図２４は、ステップＳＴ１４１６において表示されたパスワード入力画面に、ユーザーがパスワードを入力した状態の画面を示している。このステップＳＴ１４１７で入力するパスワードは、ステップＳＴ１４０８で入力したパスワードと共通でよい。
【００６４】
次いで、ステップＳＴ１４１７でユーザーが入力したパスワードがＯＫ（正しいパスワード）であるか否か判定される（ステップＳＴ１４１８）。
【００６５】
このステップＳＴ１４１８での判定の結果、入力されたパスワードがＮＧ（間違ったパスワード）である場合（ステップＳＴ１４１８で「ＮＯ」の場合）には、ステップＳＴ１４１６において表示されたパスワード入力画面へのパスワードの入力が再度求められる。
【００６６】
一方、ステップＳＴ１４１８での判定の結果、入力されたパスワードがＯＫである場合（ステップＳＴ１４１８で「ＹＥＳ」の場合）には、前記ショッピングサイトの住所情報入力画面にユーザーにより選択された個人情報である「住所」（ここでは「横浜市港北区綱島東４−３−１」）が自動入力されたショッピングサイトの個人情報送信画面が表示手段１０４の表示部に表示される（ステップＳＴ１４１９）。図２５は、このステップＳＴ１４１９において表示手段１０４の表示部に表示されるショッピングサイトの個人情報送信画面を示している。
【００６７】
なお、ステップＳＴ１４１３で選択した個人情報である「住所」がパスワード保護されていない場合、つまりステップＳＴ１４１５で「ＮＯ」の場合には、直ちにステップＳＴ１４１９に進んで、表示手段１０４の表示部に図２５に示すショッピングサイトの個人情報送信画面が表示される。そして、ユーザーは、この表示手段１０４の表示部に表示された個人情報送信画面をショッピングサイト側に送信するか否かを確認し、この個人情報送信画面をショッピングサイト側に送信することにより個人情報表示／送信メニューが終了する。
【００６８】
上述のように、本実施の形態２に係る携帯電話装置１３００においては、インターネットショッピングなどのショッピングサイトの購入画面で、購入者の氏名および住所の入力が求められた場合に、そのテンキーや変換キーを用いた前記購入画面への氏名や住所などの面倒な入力操作を行う必要がない。従って、この携帯電話装置１３００においては、インターネットショッピングなどで要求される個人情報を容易かつ迅速にショッピングサイト側に送信することができるようになる。
【産業上の利用可能性】
【００６９】
本発明に係る携帯電話装置は、不在配達郵便物の郵便局窓口での受け取り時、レンタルビデオ店での新規契約時、及び対人販売における酒やタバコなど年齢制限のある商品の購入時などに、本人や年齢を証明する手段として利用することができるので、無線通信システムの移動局として有用である。
【図面の簡単な説明】
【００７０】
【図１】本発明の実施の形態１に係る携帯電話装置のブロック図
【図２】本発明の実施の形態１に係る携帯電話装置の初期設定メニュー開始動作を示すフローチャート
【図３】前記初期設定メニュー開始動作において表示されるパスワード入力画面を示す図
【図４】前記パスワード入力画面にユーザーがパスワードを入力した状態の画面を示す図
【図５】前記初期設定メニュー開始動作において表示されるパスワード保護個人情報選択画面を示す図
【図６】前記パスワード保護個人情報選択画面の個人情報の中から、「氏名」、「生年月日」、「住所」、「サイン」の４つの個人情報に対してパスワード保護を行うようにユーザーが選択した状態の画面を示す図
【図７】本発明の実施の形態１に係る携帯電話装置の個人情報表示メニュー開始動作を示すフローチャート
【図８】前記個人情報表示メニュー開始動作において表示される個人情報選択画面を示す図
【図９】前記個人情報表示メニュー開始動作において表示される個人情報選択画面の個人情報の中から、「顔写真」、「氏名」、「生年月日」、の３つの個人情報をユーザーが選択した状態の画面を示す図
【図１０】前記個人情報表示メニュー開始動作において表示されるパスワード入力画面を示す図
【図１１】前記個人情報表示メニュー開始動作において表示されるパスワード入力画面にユーザーがパスワードを入力した状態の画面を示す図
【図１２】前記個人情報表示メニュー開始動作において選択された個人情報が表示されている画面を示す図
【図１３】本発明の実施の形態２に係る携帯電話装置の構成を示すブロック図
【図１４】本発明の実施の形態２に係る携帯電話装置の個人情報表示／送信メニュー開始動作を示すフローチャート
【図１５】前記個人情報表示／送信メニュー開始動作において表示されるショッピングサイトの氏名情報入力画面を示す図
【図１６】前記個人情報表示／送信メニュー開始動作において表示される個人情報選択画面を示す図
【図１７】前記個人情報表示／送信メニュー開始動作において表示される個人情報選択画面の個人情報の中からユーザーが「氏名」を選択した状態の画面を示す図
【図１８】前記個人情報表示／送信メニュー開始動作において表示されるパスワード入力画面を示す図
【図１９】前記個人情報表示／送信メニュー開始動作において表示されたパスワード入力画面にユーザーがパスワードを入力した状態の画面を示す図
【図２０】前記個人情報表示／送信メニュー開始動作において表示されるショッピングサイトの住所情報入力画面を示す図
【図２１】前記個人情報表示／送信メニュー開始動作において表示される個人情報選択画面を示す図
【図２２】前記個人情報表示／送信メニュー開始動作において表示される個人情報選択画面の個人情報の中からユーザーが「住所」を選択した状態の画面を示す図
【図２３】前記個人情報表示／送信メニュー開始動作において表示されるパスワード入力画面を示す図
【図２４】前記個人情報表示／送信メニュー開始動作において表示されたパスワード入力画面にユーザーがパスワードを入力した状態の画面を示す図
【図２５】前記個人情報表示／送信メニュー開始動作において表示されるショッピングサイトの個人情報送信画面を示す図
【符号の説明】
【００７１】
１０１  不揮発情報記憶手段
１０２  パスワード入力手段
１０３  表示制御手段
１０４  表示手段
１３０１  表示/送信制御手段
１３０２  個人情報入力手段
１３０３  選択手段
１３０４  送信手段
【図１】
2006054553.tif 000003
【図２】
2006054553.tif 000004
【図３】
2006054553.tif 000005
【図４】
2006054553.tif 000006
【図５】
2006054553.tif 000007
【図６】
2006054553.tif 000008
【図７】
2006054553.tif 000009
【図８】
2006054553.tif 000010
【図９】
2006054553.tif 000011
【図１０】
2006054553.tif 000012
【図１１】
2006054553.tif 000013
【図１２】
2006054553.tif 000014
【図１３】
2006054553.tif 000015
【図１４】
2006054553.tif 000016
【図１５】
2006054553.tif 000017
【図１６】
2006054553.tif 000018
【図１７】
2006054553.tif 000019
【図１８】
2006054553.tif 000020
【図１９】
2006054553.tif 000021
【図２０】
2006054553.tif 000022
【図２１】
2006054553.tif 000023
【図２２】
2006054553.tif 000024
【図２３】
2006054553.tif 000025
【図２４】
2006054553.tif 000026
【図２５】
2006054553.tif 000027